(57)【特許請求の範囲】
【請求項１】
尿パッド、軽失禁パッド、及び軽失禁ライナーからなる群から選択される吸収性物品を装着可能な下着であって、
着用者の正面を覆う前身ごろ部と、
前記着用者の背面を覆う後身ごろ部と、
前記前身ごろ部と前記後身ごろ部とを繋ぎ、前記着用者の股下を覆うクロッチ部と、
前記前身ごろ部、前記後身ごろ部及び前記クロッチ部の少なくとも１つの肌当接面側に設けられ、前記吸収性物品の長手方向の前端部及び後端部を収納するポケットと、
を備え、
前記ポケットのうち、前記吸収性物品の長手方向の後端部を収納するポケットは、前記クロッチ部の後端部近傍に位置するとともに、前記吸収性物品の長手方向の前端部を収納するポケットは、２つ設けられており、一方は、前記前身ごろ部に設けられるとともに、他方は、前記クロッチ部の前端部近傍、又は前記前身ごろ部に設けられており、
前記ポケットのそれぞれは、装着される前記吸収性物品の長手方向外側に対応する方向に向けて、円弧状の端辺を有しているとともに、身体側に向けて所定の膨らみを有しており、前記膨らみの形状は、断面円弧状となっていることを特徴とする下着。
【請求項２】
前記ポケットが、前記吸収性物品の長手方向の前端部及び後端部を収納するように、前後方向に対向して対に設けられていることを特徴とする請求項１に記載の下着。
【請求項３】
前記ポケットが、設けられた位置に対応して、前記前身ごろ部、前記後身ごろ部及び前記クロッチ部の少なくとも１つと同一の素材で形成されることを特徴とする請求項１又は２に記載の下着。
【発明の詳細な説明】
【技術分野】
【０００１】
本発明は、吸収性物品を装着可能な下着に関する。
【背景技術】
【０００２】
従来、軽失禁ライナー、パッドおよび生理用ナプキンなどを下着に装着するとき、それらのバックシートの外側にズレ止め粘着剤を設け、それによって下着に固定することが行われている。しかし、ショーツに軽失禁ライナーやパッドなどを装着した場合、動きが激しい場合や長時間の使用、就寝時などにおいて、これら製品の前後端がめくれたり、よれたりすることがある。そして、めくれやよれが生じると、肌に当たって不快感を感じさせるだけでなく、痛みやかゆみを起こす原因ともなる。
【０００３】
このような状況を改善するため、めくれを防止するために、以下の先行技術がある。防漏材の外面周縁部に粘着材を設ける（特許文献１）。これは、めくれにくくなるが、他方で剥がしにくいという問題がある。ズレ止め粘着層が剥離材の全域に亘って形成される（特許文献２）。これは、後端部は凹部形状のため、後端部はめくれやすい。前端補強シートと後端補強シートによりフラップのめくれを防止する（特許文献３）ものであるが、補強シートにより凹凸が生じると装着感やフィット性を損ねる可能性がある。
【先行技術文献】
【特許文献】
【０００４】
【特許文献１】特開２００５−３３４３４８
【特許文献２】特開２０１２−０１０８８３
【特許文献３】特開２０１２−１５７５１２
【発明の概要】
【発明が解決しようとする課題】
【０００５】
本発明は、このような事情に鑑みてなされたものであり、その目的は、尿パッド、軽失禁パッド、軽失禁ライナー、生理用ナプキンなどを装着しても、その前後端のめくれを防止する機能を有した下着を提供することにある。
【課題を解決するための手段】
【０００６】
本発明は、以下の構成によって把握される。
（１）本発明は、吸収性物品が装着可能な下着であって、着用者の正面を覆う前身ごろ部と、前記着用者の背面を覆う後身ごろ部と、前記前身ごろ部と前記後身ごろ部とを繋ぎ、前記着用者の股下を覆うクロッチ部と、前記前身ごろ部、前記後身ごろ部及び前記クロッチ部の少なくとも１つの肌当接面側に設けられ、前記吸収性物品の長手方向の前端部及び後端部の少なくとも一方を収納するポケットと、を備えることを特徴とする下着を提供する。
（２）前記ポケットが、前記吸収性物品の長手方向の前端部及び後端部を収納するように、前後方向に対向して対に設けられていることを特徴とする上記（１）に記載の下着を提供する。
（３）前記ポケットが、前記吸収性物品の長手方向の前端部及び後端部の少なくとも一方を段階的に調節して収納するように、前後方向に同一の向きに複数に設けられていることを特徴とする上記（１）に記載の下着を提供する。
（４）前記ポケットが、前記吸収性物品の長手方向の前端部及び後端部を収納するように、前後方向に対向して対に設けられ、対向する対のポケットの少なくとも一方が、前記吸収性物品の長手方向の前端部及び後端部の少なくとも一方を段階的に調節して収納するように、前後方向に同一の向きに複数に設けられていることを特徴とする上記（１）に記載の下着を提供する。
（５）前記ポケットが、設けられた位置に対応して、前記前身ごろ部、前記後身ごろ部及び前記クロッチ部の少なくとも１つと同一の素材で形成されることを特徴とする上記（１）ないし（４）のいずれか１つに記載の下着を提供する。
【発明の効果】
【０００７】
このように構成される下着は、尿パッド、軽失禁パッド、軽失禁ライナー、生理用ナプキンなどを装着しても、その前後端のめくれを防止する機能を有した下着を提供することができる。
【図面の簡単な説明】
【０００８】
【図１】第１実施形態に係る下着を示す斜視図である。
【図２】図１の下着の肌当接面側を示す展開図である。
【図３】吸収性物品の拡大図であって、（ａ）は平面図、（ｂ）は模式断面図を示す。
【図４】第１実施形態に係る下着の要部の拡大図であって、（ａ）は平面図、（ｂ）は吸収性物品の端部を挿入するポケットのみを抽出した側面図である。
【図５】第１実施形態に係る下着の要部の拡大図であって、変形例（ａ）〜（ｃ）を示す。
【図６】第２実施形態に係る下着の要部の拡大図である。
【図７】第２実施形態に係る下着の要部の拡大図であって、変形例（ａ）〜（ｃ）を示す。
【図８】第３実施形態に係る下着の要部の拡大図である。
【図９】第３実施形態に係る下着の要部の拡大図であって、変形例（ａ）〜（ｄ）を示す。
【図１０】第４実施形態に係る下着の要部の拡大図である。
【図１１】第４実施形態に係る下着の要部の拡大図であって、変形例（ａ）〜（ｄ）を示す。
【図１２】第５実施形態に係る下着の要部の拡大図であって、（ａ）は吸収性物品の端部を挿入するポケットが前方向にのみ設けられている場合、（ｂ）は吸収性物品の端部を挿入するポケットが前方向及び後方向に設けられている場合を、それぞれ示している。
【発明を実施するための形態】
【０００９】
以下、添付図面を参照して、本発明を実施するための形態（以下、実施形態）について詳細に説明する。なお、実施形態の説明の全体を通して同じ要素には同じ番号を付している。
【００１０】
［第１実施形態］
まず、下着１０の全体構成を図１及び図２によって説明する。下着１０は、吸収性物品１００が装着できれば特に限定されるものではなく、男性用又は女性用の一般的なショーツや、女性用の生理用ショーツ、高齢者の失禁用パンツ、幼児のおむつなど、何でもよい。ここでは、代表して、女性用の一般的なショーツを用いて説明する。下着１０は、図１に示すように、前身ごろ部１１と、後身ごろ部１２と、前見ごろ部１１と後身ごろ部１２を繋ぐクロッチ部１３から構成されている。クロッチ部１３とは、補強目的で生地が二重に縫製された、股下にあたる部分である。図２は、前身ごろ部１１と後身ごろ部１２とを切り離して、下着１０を展開した場合を示しており、詳しくは後述するように、クロッチ部１３に設けられたポケット２０にその前方端が挿入された態様で吸収性物品１００が装着されている。
【００１１】
次に、図３を用いて、下着１０に装着される吸収性物品１００について、説明する。吸収性物品１００は、身体から排出される体液を吸収することを目的として、クロッチ部１３に装着されるものである。吸収性物品１００としては、例えば、尿パッド、軽失禁パッド、軽失禁ライナー、生理用ナプキンなどの略矩形状の吸収性物品１００を挙げることができる。以下では、略矩形状の吸収性物品１００を例として用いて説明する。
【００１２】
ここで、吸収性物品１００の長手方向は、吸収性物品１００が着用されたときに着用者の前後にわたる方向となり、吸収性物品１００の短手方向は、長手方向に対して横又は直交する方向となる。着用者の正面側を「前」と、その背面側を「後」という。また、肌当接面は、吸収性物品１００の２つの表面のうち、着用者の肌に向けられる表面をいい、非肌当接面は、肌当接面の裏面をいい、着衣が着用される場合には、着衣側に向けられる表面をいう。吸収性物品１００の厚み方向は、吸収性物品１００の肌当接面または非肌当接面の法線方向となる。また、吸収性物品１００の平面視は、吸収性物品１００を肌当接面側から見ることをいう。
【００１３】
図３（ａ）は、吸収性物品１００を平面視した平面図であり、図３（ｂ）は、図３（ａ）のＸ−Ｘ断面を模式的に示した断面図である。図３（ａ）に示すように、吸収性物品１００は、平面視において、吸収部１０１と側縁部１０２とに大別される。図３（ｂ）を用いて少し詳しく断面視すると、吸収部１０１は、肌と接触する側から順に、液透過性のトップシート１０３、液拡散性シート１０４、上キャリアシート１０５、吸収コア層１０６、下キャリアシート１０７及び液不透過性のバックシート１０８から構成されている。そして、側縁部１０２としては、吸収性物品１００を装着したときに体液の横漏れを防止するため、吸収部１０１の側面及び肌当接面の側縁を覆う立体ギャザーシート１１１が配置されており、立体ギャザーシート１１１の肌当接面の側縁には肌側に立体的に立ち上がるための弾性部材１１２が設けられている。
【００１４】
ここで、バックシート１０８の非肌当接面の長手方向に沿った中央部には、下着１０とのズレを防止するため、ズレ止め粘着剤１０９及び剥離紙１１０が設けられている。
【００１５】
なお、図３（ａ）には、吸収性物品１００の平面視において、吸収部１０１には圧搾溝１１３が設けられた例を示している。図３（ｂ）には図示していないが、圧搾溝１１３は、トップシート１０３の表面からトップシート１０３、液拡散性シート１０４及び吸収コア層１０６の少なくともいずれかに至るまで形成されている。これにより、吸収コア層１０６での体液の吸収、拡散がより円滑に行われる。
【００１６】
第１実施形態に係る下着１０では、例えば図４（ａ）に示すように、クロッチ部１３の前部１３ａの肌当接面側に、吸収性物品１００の長手方向の前端部１００ａを収納するポケット２０を１つ設けている。ここでは、平面視において、ポケット２０が円弧状の前方（吸収性物品１００からみて奥側）の端辺２０ａを有している場合を図示しているが、形状はこれに限定される必要はなく、例えば吸収性物品１００の形状に合わせて、第５実施形態として後述するように、矩形状としてもよい（この点、第２ないし第４実施形態も同様である）。また、同様に、ポケット２０が直線状の後方（吸収性物品１００からみて手前側）の端辺２０ｂを有している場合を図示しているが、形状はこれに限定される必要はなく、例えば前方の端辺２０ａと同一又は異なる曲率の円弧状としても差し支えない。要は、吸収性物品１００の前端部１００ａのめくれ防止に役立つ範囲であれば、後方の端辺２０ｂの形状は任意である。
【００１７】
ポケット２０は、図４（ｂ）に示すように、吸収性物品１００を挿入する側から側面視したとき、吸収性物品１００の前端部１００ａを覆う覆い部２１が所定の膨らみをもって形成されていてもよい。この場合、膨らみの程度は、吸収性物品１００をポケット２０に挿入及び／又は抜去する容易さと、吸収性物品１００を装着したときの着用者の違和感などを考慮して、適切に設定すればよい。図４（ｂ）では、膨らみの形状を円弧状にしているが、矩形状にしてもよいし、さらには、膨らみの側面を蛇腹（山折りと谷折りの組合わせ）のように形成してもよい。ここでは、膨らみのあるポケット２０について説明したが、吸収性物品１００の前端部１００ａや後端部１００ｂには吸収コア層１０６が設けられていないことから、ポケット２０を膨らみのないものとして形成してももちろんよい。
【００１８】
ポケット２０は、着用者が違和感なく装着できるように、クロッチ部１３と同一の素材で形成されることが好ましい。クロッチ部１３は、肌当接面側の布と非肌当接面側（着衣側）の布とを縫合して形成されており、肌触りが良く、通気性や吸湿性が高いことから綿を主体とする素材が用いられることが多い。着用者の体型や身体的動きに対応し、縦横方向に伸縮性をもたせるため、エラストマー繊維を含ませることも一般に行われる。また、肌当接面側の布の非肌当接面側の布に対向する面には、体液の外部への染み出しを抑制するため、防水処理が施されている。ポケット２０の素材は、クロッチ部１３の肌当接面側の布と同一の素材で形成することにより、装着時の違和感を軽減できる。
【００１９】
このように、下着１０にあらかじめ、吸収性物品１００の前端部１００ａがスッポリ入るポケット２０をクロッチ部１３に設けることにより、吸収性物品１００そのものにめくれを防止する機能を新たに付加しなくてもよくなる。
【００２０】
図４（ａ）では、クロッチ部１３の前部１３ａにポケット２０を設けている例について説明したが、これに限定されず、例えば図５（ａ）〜（ｃ）に示すように、種々の変形が可能である。図５（ａ）は、クロッチ部１３の後部１３ｂにポケット２０を設けている例を、図５（ｂ）は、前身ごろ部１１にポケット２０を設けている例を、図５（ｃ）は、後身ごろ部１２にポケット２０を設けている例をそれぞれ示している。なお、ここでは、ポケット２０が設けられていない側の吸収性物品１００の前端部又は後端部がクロッチ部１３の範囲内に位置している場合を図示しているが、前身ごろ部１１又は後身ごろ部１２に位置してもよいことはもちろんである。要するに、第１実施形態は、クロッチ部１３の前部１３ａ及び後部１３ｂのいずれか一方、又は前身ごろ部１１若しくは後身ごろ部１２のいずれか一方にポケット２０を設けるものである。
【００２１】
第１実施形態では、クロッチ部１３の前部１３ａ及び後部１３ｂのいずれか、又は前身ごろ部１１若しくは後身ごろ部１２の一方にポケット２０を設けているため、着用者の好み、体型や肌の状況及び／又は生活スタイルなどに応じて、めくれが顕著な側のみにポケット２０を設けた下着１０を提供できる。
【００２２】
［第２実施形態］
次に、図６を用いて、第２実施形態について説明する。第２実施形態はポケット２０の配置の仕方のみが第１実施形態と異なるので、ポケット２０自体の構成については説明を省略し、ポケット２０の配置に関する異なる点についてのみ説明する。第２実施形態は、ポケット２０をクロッチ部１３の前部１３ａ及び後部１３ｂの双方に対向して一対として設けたものである。ここで、クロッチ部１３の後部１３ｂに設けたポケット２０については、第１実施形態で述べた前方の端辺２０ａと後方の端辺２０ｂを、前方の端辺２０ｂと後方の端辺２０ａと読み替える（第３ないし第５実施形態についても同様である）。
【００２３】
図６では、ポケット２０をクロッチ部１３の前部１３ａ及び後部１３ｂの双方に対向して一対として設けている例について説明したが、これに限定されず、例えば図７（ａ）〜（ｃ）に示すように、種々の変形が可能である。図７（ａ）は、ポケット２０を前身ごろ部１１及びクロッチ部１３の後部１３ｂの双方に対向して一対として設けている例を、図７（ｂ）は、ポケット２０をクロッチ部１３の前部１３ａ及び後身ごろ部１２の双方に対向して一対として設けている例を、図７（ｃ）は、ポケット２０を前身ごろ部１１及び後身ごろ部１２の双方に対向して一対として設けている例を、それぞれ示している。要するに、第２実施形態は、クロッチ部１３の前部１３ａ又は前身ごろ部１１と、クロッチ部１３の後部１３ｂ又は後身ごろ部１２とにおいて、対向して一対としてポケット２０を設けるものである。
【００２４】
第２実施形態では、吸収性物品１００の前端部１００ａと後端部１００ｂの両端部が、下着１０に装着する際、下着１０に設けられた前後一対のポケット２０に同時に挿入することができ、前後ともにめくれが顕著な着用者にとっては同時にめくれを防止することができる下着１０を提供できる。
【００２５】
［第３実施形態］
次に、図８を用いて、第３実施形態について説明する。第３実施形態についても同様にポケット２０の配置の仕方のみが第１及び第２実施形態と異なるので、ポケット２０の配置に関する異なる点についてのみ説明する。第３実施形態は、ポケット２０をクロッチ部１３の前部１３ａに二つ、後部１３ｂに一つ設けたものである。
【００２６】
図８では、ポケット２０をクロッチ部１３の前部１３ａに二つ、後部１３ｂに一つ設けている例について説明したが、これに限定されず、例えば図９（ａ）〜（ｄ）に示すように、種々の変形が可能である。図９（ａ）は、ポケット２０を前身ごろ部１１とクロッチ部１３の前部１３ａに一つずつ、クロッチ部１３の後部１３ｂに一つ設けている例を、図９（ｂ）は、ポケット２０をクロッチ部１３の前部１３ａに一つ、クロッチ部１３の後部１３ｂと後身ごろ部１２に一つずつ設けている例を、図９（ｃ）は、ポケット２０を前身ごろ部１１に二つ、クロッチ部１３の後部１３ｂに一つ設けている例を、図９（ｄ）は、ポケット２０をクロッチ部１３の前部１３ａに一つ、後身ごろ部１２に二つ設けている例を、それぞれ示している。なお、ここでは、図示していないが、ポケット２０を前身ごろ部１１に二つ、後身ごろ部１２に一つとしてもよく、またその逆に、前身ごろ部１１に一つ、後身ごろ部１２に二つとしてもよいことはもちろんである。要するに、第３実施形態は、前身ごろ部１１若しくはクロッチ部１３の前部１３ａ、又はクロッチ部１３の後部１３ｂ若しくは後身ごろ部１２のいずれか一方にポケット２０を二つ設けるものである。
【００２７】
第３実施形態では、吸収性物品１００が吸収量等に応じてサイズが異なることに対応し、前部１３ａ及び後部１３ｂのいずれかに二つのポケットを設けておくことにより、吸収性物品１００の前端部１００ａ及び後端部１００ｂの少なくとも一方を段階的に調節して収納でき、一つの下着１０で２種類のサイズの吸収性物品１００を装着することが可能となる。さらに、クロッチ部１３の前部１３ａ及び後部１３ｂのいずれか一方にポケット２０を二つ設けているため、着用者の好み、体型や肌の状況及び／又は生活スタイルなどに応じて、同じサイズの吸収性物品１００を前方側又は後方側のいずれかに偏らせて装着可能な下着１０を提供できる。
【００２８】
［第４実施形態］
次に、図１０を用いて、第４実施形態について説明する。第４実施形態についても同様にポケット２０の配置の仕方のみが第１ないし第３実施形態と異なるので、ポケット２０の配置に関する異なる点についてのみ説明する。第４実施形態は、ポケット２０をクロッチ部１３の前部１３ａ及び後部１３ｂの双方に前後方向に二対として設けたものである。
【００２９】
図１０では、ポケット２０をクロッチ部１３の前部１３ａ及び後部１３ｂの双方に前後方向に二対として設けている例について説明したが、これに限定されず、例えば図１１（ａ）〜（ｄ）に示すように、種々の変形が可能である。図１１（ａ）は、ポケット２０を前身ごろ部１１及び後身ごろ部１２の双方に前後方向に二対として設けて吸収性物品１００を後身ごろ部１２側に偏らせている例を、図１１（ｂ）は、ポケット２０を前身ごろ部１１及び後身ごろ部１２の双方に前後方向に二対として設けて吸収性物品１００を前身ごろ部１１側に偏らせている例を、図１１（ｃ）は、ポケット２０を前身ごろ部１１とクロッチ部の前部１３ａに一つずつ、後身ごろ部１２に二つ設けて前後方向に二対としている例を、図１１（ｄ）は、ポケット２０を前身ごろ部１１に二つ、クロッチ部の後部１３ｂと後身ごろ部１２に一つずつ設けて前後方向に二対としている例を、それぞれ示している。要するに、第４実施形態は、クロッチ部１３の前部１３ａ又は前身ごろ部１１と、クロッチ部１３の後部１３ｂ又は後身ごろ部１２とにおいて、対向して二対としてポケット２０を設けるものである。
【００３０】
第４実施形態では、二対のポケット２０を用いることにより、吸収性物品１００の前端部１００ａと後端部１００ｂの双方をポケット２０に挿入する場合、吸収性物品１００の前端部１００ａ及び後端部１００ｂの少なくとも一方を段階的に調節して収納でき、３種類のサイズの吸収性物品１００を装着可能な下着１０を提供できる。さらに、第３実施形態と同様に、着用者の好み、体型や肌の状況及び／又は生活スタイルなどに応じて、同じサイズの前方側又は後方側のいずれかに偏らせて吸収性物品１００を装着可能な下着１０を提供できる。
【００３１】
［第５実施形態］
次に、図１２を用いて、第５実施形態について説明する。第５実施形態についても同様にポケット２０の配置の仕方のみが第１ないし第４実施形態と異なるので、ポケット２０の配置に関する異なる点についてのみ説明する。第５実施形態は、ポケット２０を前身ごろ部１１及び／又は後身ごろ部１２からクロッチ部１３にかけて、前後方向に複数設けたものである。図１２（ａ）は、前身ごろ部１１からクロッチ部１３にかけてのみ、図１２（ｂ）は、対となるように、前身ごろ部１１からクロッチ部１３にかけてと、後身ごろ部１２からクロッチ部１３にかけての双方に、ポケット２０を対向して設けたものである。ここでは、第１ないし第４実施形態とは異なり、ポケット２０を矩形状のもの（図１２（ａ）において前方の端辺２０ａが、図１２（ｂ）において後方の端辺２０ｂが、それぞれ矩形を形成）とし、同じ側にある一つ一つのポケット２０を独立して配置するのではなく、連続して配置した態様を示している。
【００３２】
第５実施形態では、ポケット２０が、クロッチ部１３を超えて、前身ごろ部１１及び／又は後身ごろ部１２に設けられているため、大きなサイズの吸収性物品１００を装着可能な下着１０を提供できる。また、ポケット２０が一つ一つ独立しないで連続的に設けられていることから、一つ一つのポケットを相対的に近接した位置に設定でき、吸収性物品１００のサイズや装着位置について、より一層きめ細かな調節が可能な下着１０を提供できる。
【００３３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３４】
１０……下着（ショーツ）
１１……前身ごろ部
１２……後身ごろ部
１３……クロッチ部
１３ａ……前部（クロッチ部の）
１３ｂ……後部（クロッチ部の）
２０……ポケット
２０ａ……前方の端辺（ポケットの）
２０ｂ……後方の端辺（ポケットの）
２１……覆い部
１００……吸収性物品
１００ａ……前端部（吸収性物品の）
１００ｂ……後端部（吸収性物品の）
１０１……吸収部
１０２……側縁部
１０３……トップシート
１０４……液拡散性シート
１０５……上キャリアシート
１０６……吸収コア層
１０７……下キャリアシート
１０８……バックシート
１０９……ズレ止め粘着剤
１１０……剥離紙
１１１……立体ギャザーシート
１１２……弾性部材
１１３……圧搾溝
【図１】
0006346004.tif 000002
【図２】
0006346004.tif 000003
【図３】
0006346004.tif 000004
【図４】
0006346004.tif 000005
【図５】
0006346004.tif 000006
【図６】
0006346004.tif 000007
【図７】
0006346004.tif 000008
【図８】
0006346004.tif 000009
【図９】
0006346004.tif 000010
【図１０】
0006346004.tif 000011
【図１１】
0006346004.tif 000012
【図１２】
0006346004.tif 000013